【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
複数の物品を収容するためのカートンであって、
前記カートンの内部周囲に少なくとも部分的に延在する複数のパネルと、
折り曲げ可能に前記複数のパネルにそれぞれ取り付けられていて、互いに重なり合うようにして前記カートンの閉口端を少なくとも部分的に形成する終端フラップと、
容器へアクセスするために前記カートンの開口部を少なくとも部分的に画定する、前記カートンに折り曲げ可能に取り付けられている少なくとも１つのディスペンサ部分と引き裂き線とを備えたディスペンサと、
前記終端フラップに接続されている繋板部とを備え、前記ディスペンサ部分を外方に枢動させて前記開口部を拡大することができるように、折り曲げられていた前記繋板部が開くことができるようにされていて前記終端フラップの間で相対的な動きを可能にする、カートン。
【請求項２】
前記複数のパネルは、少なくとも１つのトップパネル、ボトムパネル、第１のサイドパネル、および第２のサイドパネルを備え、前記ディスペンサ部分は、前記ディスペンサの初期開口を可能にするために、第１の枢動位置で前記サイドパネルの一方に枢動可能に取り付けられた第１の部分を備える、請求項１に記載のカートン。
【請求項３】
前記第１の部分は、前記サイドパネルの上側部分、前記トップパネルの一部、および前記終端フラップの一部を備え、前記第１の枢動位置は、前記サイドパネルにおける折り線から成る、請求項２に記載のカートン。
【請求項４】
前記ディスペンサ部分は、前記開口部を拡大するために、前記ボトムパネルに対して前記ディスペンサ部分を外方に枢動することを可能とするように、第２の枢動位置で前記ボトムパネルに枢動可能に取り付けられた第２の部分を備え、前記第２の部分は、前記サイドパネルの下側部分と、前記終端フラップの一部と、前記繋板部と、を備える、請求項３に記載のカートン。
【請求項５】
前記ディスペンサ部分は第１のディスペンサ部分であり、前記開口部は第１の開口部であり、前記カートンは、物品にアクセスするために前記カートンに第２の開口部を形成するための第２のディスペンサ部分をさらに備える、請求項４に記載のカートン。
【請求項６】
前記第２のディスペンサ部分は、第１の枢動位置で前記サイドパネルの一方に枢動可能に取り付けられた第１の部分と、第２の枢動位置で前記ボトムパネルに枢動可能に取り付けられた第２の部分と、を有し、前記第２のディスペンサ部分の前記第１の枢動位置は、前記サイドパネルの一方における折り線から成り、かつ前記第２のディスペンサ部分を最初に開口するためのものである、請求項５に記載のカートン。
【請求項７】
前記第２のディスペンサ部分の前記第２の枢動位置は、前記サイドパネルと前記ボトムパネルの一方に折り曲げ可能に接続されている折り線から成り、かつ前記開口部を拡大するために、前記ボトムパネルに対して前記第２のディスペンサ部分を外方へ枢動させるためのものである、請求項６に記載のカートン。
【請求項８】
前記繋板部は、前記第１のディスペンサ部分を少なくとも部分的に画定する少なくとも２つの繋板部と、前記第２のディスペンサ部分を少なくとも部分的に画定する２つの繋板部とを含み、前記第１のディスペンサ部分、第２のディスペンサ部分、前記ボトムパネルおよび終端フラップは協働して前記カートンの底部貯蔵部を形成する、請求項５に記載のカートン。
【請求項９】
前記底部貯蔵部は、接着された継ぎ目を有していない、請求項８に記載のカートン。
【請求項１０】
前記終端フラップは、サイド終端フラップと、ボトム終端フラップと、トップ終端フラップと、を備え、前記繋板部は、隣接するボトムおよびサイド終端フラップにそれぞれ接続されている繋板部を備え、前記サイド終端フラップの上側部分は、前記トップ終端フラップへそれぞれ接着して取り付けられ、前記サイド終端フラップの下側部分は前記サイドパネルの１つと自由に枢動する、請求項２に記載のカートン。
【請求項１１】
前記トップパネルと前記サイドパネルの少なくとも一部を備えるハンドルをさらに備える、請求項２に記載のカートン。
【請求項１２】
前記ディスペンサ部分を画定する前記引き裂き線は、前記ハンドルに隣接し、かつ前記ハンドルを少なくとも部分的に画定する、請求項１１に記載のカートン。
【請求項１３】
前記終端フラップは、トップ終端フラップを備え、前記ハンドルは、前記トップパネル及び前記トップ終端フラップの少なくとも一部を備えるハンドルパネルと、前記トップパネルに形成されたグリップ部分と、を備え、前記ハンドルパネルは、前記トップパネルと前記トップ終端フラップにおいて２つの離間する引き裂き線によって少なくとも部分的に画定される、請求項１１に記載のカートン。
【請求項１４】
前記トップパネルは第１のトップパネルであり、前記トップ終端フラップは、前記第１のトップパネルに折り曲げ可能に取り付けられた第１のトップ終端フラップであり、前記ハンドルパネルは第１のハンドルパネルであり、前記カートンは、前記第１のトップパネルと重なり合って係合するための第２のトップパネルと、前記第２のトップパネルに折り曲げ可能に取り付けられた第２のトップ終端フラップとを備え、前記ハンドルは、前記第２のトップパネル及び前記第２のトップ終端フラップにおいて第２のハンドルパネルを備え、前記カートンは、前記第２のハンドルパネルに折り曲げ可能に取り付けられた補強フラップをさらに備え、前記補強フラップは、前記第２のトップパネルと前記第２のトップ終端フラップの少なくとも一部を備える、請求項１３に記載のカートン。
【請求項１５】
前記ハンドルは、前記第１のハンドルパネルと、前記第２のハンドルパネルと、前記補強フラップとを備える３層のハンドルである、請求項１４に記載のカートン。
【請求項１６】
カートンを形成するためのブランクであって、
複数のパネルと、
前記複数のパネルのそれぞれに折り曲げ可能に取り付けられた終端フラップと、
引き裂き線と、前記ブランクから形成される前記カートンの開口部を少なくとも部分的に画定するための少なくとも１つのディスペンサ部分とを備えるディスペンサ機能部と、
前記終端フラップに接続されている繋板部とを備え、前記ディスペンサ部分を外方に枢動させて前記開口部を拡大することができるように、折り曲げられていた前記繋板部が開くことができるようにされていて前記終端フラップの間で相対的な動きを可能にする、ブランク。
【請求項１７】
前記複数のパネルは、少なくとも１つのトップパネルと、ボトムパネルと、第１のサイドパネルと、第２のサイドパネルと、を備え、前記ディスペンサ部分は、前記ブランクから形成される前記カートンの前記ディスペンサの初期開口を形成するために、第１の枢動位置で前記サイドパネルの一方に枢動可能に取り付けられた第１の部分を備え、前記第１の部分は、前記サイドパネルの上側部分と、前記トップパネルの一部と、前記終端フラップの一部とを備える、請求項１６に記載のブランク。
【請求項１８】
前記ディスペンサ部分は、第２の枢動位置で前記ボトムパネルに枢動可能に取り付けられた第２の部分を備え、前記第２の部分は前記サイドパネルの下側部分と２つの繋板部とを備える、請求項１７に記載のブランク。
【請求項１９】
前記ディスペンサ部分は、第１のディスペンサ部分であり、前記ディスペンサ機能部は、第２のディスペンサ部分をさらに備え、前記第２のディスペンサ部分は、第１の枢動位置で前記サイドパネルの一方に枢動可能に取り付けられた第１の部分と、第２の枢動位置で前記ボトムパネルに枢動可能に取り付けられた第２の部分とを有し、前記第２のディスペンサ部分の前記第１の枢動位置は、前記サイドパネルの一方における折り線から成り、前記第２のディスペンサ部分の前記第２の枢動位置は、前記サイドパネル及び前記ボトムパネルの一方に折り曲げ可能に接続されている折り線から成る、請求項１７に記載のブランク。
【請求項２０】
前記ブランクは、前記ブランクから形成される前記カートンにハンドルを形成するために、前記トップパネル及び前記サイドパネルの少なくとも一部にハンドル機能部をさらに備え、前記終端フラップは、前記トップパネルに折り曲げ可能に取り付けられたトップ終端フラップを備え、前記ハンドル機能部は、前記トップパネルと前記トップ終端フラップの少なくとも一部を備えるハンドルパネルを備え、前記ハンドルパネルは、前記トップパネルに形成されるグリップ部分を備える、請求項１７に記載のブランク。
【請求項２１】
前記ディスペンサ機能部は、少なくとも１つのハンドル機能部に隣接し、かつ該少なくとも１つのハンドル機能部を少なくとも部分的に画定する前記ディスペンサ部分を画定する引き裂き線を含む、請求項２０に記載のブランク。
【請求項２２】
前記トップパネルは、第１のトップパネルであり、前記トップ終端フラップは、前記第１のトップパネルに折り曲げ可能に取り付けられた第１のトップ終端フラップであり、前記ハンドルパネルは第１のハンドルパネルであり、前記ブランクは、第２のトップパネルと、前記第２のトップパネルに折り曲げ可能に取り付けられた第２のトップ終端フラップとを備え、前記ハンドル機能部は、前記第２のトップパネル及び前記第２のトップ終端フラップにおいて第２のハンドルパネルを備え、前記ブランクは、前記第２のハンドル部分に折り曲げ可能に取り付けられた補強フラップをさらに備え、前記補強フラップは、前記第２のトップパネル及び前記第２のトップ終端フラップの少なくとも一部を備える、請求項２０に記載のブランク。
【請求項２３】
カートンを開く方法であって、該方法は、
カートンを設けるステップを含み、該カートンは、
前記カートンの内部周辺で少なくとも部分的に延在し、トップパネルと、ボトムパネルと、第１のサイドパネルと、第２のサイドパネルとを備える複数のパネルと、前記複数のパネルのそれぞれに折り曲げ可能に取り付けられていて互いに重なり合うことによって前記カートンの閉端部を少なくとも部分的に形成する終端フラップと、前記トップパネル及び前記サイドパネルの少なくとも一部を備えるハンドルと、前記カートンに折り曲げ可能に取り付けられ前記トップパネルにおける引き裂き線によって少なくとも部分的に画定されるディスペンサ部分を含むディスペンサと、を有し、
当該方法は、
前記トップパネル及び前記終端フラップから少なくとも部分的に分離するように前記ハンドルを把持して、前記ディスペンサを作動させるための開口部を形成するステップと、
前記カートンのディスペンサ開口部の大きさを拡大させるために、前記ディスペンサ部分を外方に枢動することによって前記ディスペンサを作動化させるステップと、を含む方法。
【請求項２４】
前記ディスペンサ開口部を形成するために、前記サイドパネルの一方における第１の枢動位置を中心にして前記ディスペンサ部分の上側部分を枢動させ、前記方法は、前記ディスペンサ開口部を拡大させるために、第２の枢動位置を中心として前記ボトムパネルに対して外方に前記ディスペンサ部分を枢動させるステップをさらに含み、前記カートンは、前記ディスペンサ部分にそれぞれ折り曲げ可能に接続されている２つの繋板部を備え、前記第２の枢動位置を中心に前記ディスペンサ部分を枢動させるステップは、前記繋板部を伸張させて前記カートンの前記ディスペンサ開口部の大きさをさらに拡大させるステップを含む、請求項２３に記載の方法。
【請求項２５】
前記ディスペンサ部分は、前記ハンドルの第１の側における第１のディスペンサ部分であり、前記カートンは、前記ハンドルの第２の側において第２のディスペンサ部分をさらに備え、前記方法は、前記カートンの第２のディスペンサ開口部の大きさを拡大させるために、前記第２のディスペンサ部分を外方に枢動させることによって前記第２のディスペンサ部分を作動化させるステップをさらに含む、請求項２４に記載の方法。
【請求項２６】
前記方法は、前記第２のディスペンサ開口部を形成するために、前記サイドパネルにおける第１の枢動位置を中心に前記第２のディスペンサ部分の上側部分を枢動させるステップをさらに含み、前記方法は、前記第２のディスペンサ開口部を拡大させるために、第２の枢動位置を中心として前記ボトムパネルに対して外方に前記第２のディスペンサ部分を枢動させるステップをさらに含み、前記繋板部は、第１の繋板部であり、前記カートンは、前記第２のディスペンサ部分に折り曲げ可能に接続されている第２の繋板部をさらに備え、前記第２のディスペンサ部分を前記第２の枢動位置を中心として枢動させるステップは、前記第２のディスペンサ開口部を拡大させるために前記繋板部を伸張させるステップを含む、請求項２５に記載の方法。